(57)【要約】【課題】タブレット型端末の電力の消耗を心配することなく、タブレット型端末を操作しやすい位置に容易に配置することが可能なインクジェットプリンタを提供する。【解決手段】主走査方向に沿って配設されるガイドレール上を摺動可能に配置されるインクヘッドより、媒体上にインクを吐出して印刷を行うインクジェットプリンタにおいて、上記インクジェットプリンタの上面に、主走査方向に沿って所定の幅および所定の深さを備えて切り欠かれた溝部を有するようにした。【選択図】        図１
2016221910.tif 000002
【特許請求の範囲】
【請求項１】
主走査方向に沿って配設されるガイドレール上を摺動可能に配置されるインクヘッドより、媒体上にインクを吐出して印刷を行うインクジェットプリンタにおいて、
前記インクジェットプリンタの上面に、主走査方向に沿って所定の幅および所定の深さを備えて切り欠かれた溝部を有する
ことを特徴とするインクジェットプリンタ。
【請求項２】
請求項１に記載のインクジェットプリンタにおいて、
前記インクジェットプリンタは、前記溝部に配置されたタブレット型端末をケーブルを介して接続可能なＵＳＢポートを有する
ことを特徴とするインクジェットプリンタ。
【請求項３】
請求項１または２のいずれか１項に記載のインクジェットプリンタにおいて、
前記溝部は、主走査方向に直交する方向である副走査方向において前記インクジェットプリンタの後方側へ傾斜している
ことを特徴とするインクジェットプリンタ。
【発明の詳細な説明】
【技術分野】
【０００１】
本発明は、インクジェットプリンタに関する。
【背景技術】
【０００２】
従来より、インクジェットプリンタとして、例えば、マイクロコンピューターによって全体の動作を制御され、印刷対象となる媒体として給紙装置によって供給された記録紙上に記録紙の幅の方向で移動するインクヘッドを用いて、インクジェット方式により所定の印刷を行うようにしたインクジェットプリンタが知られている。
【０００３】
なお、本明細書においては、上記した記録紙の幅方向を、「主走査方向」と適宜に称する。
【０００４】
インクジェットプリンタにおいて、インクジェットプリンタの各種の設定などを行う場合、インクジェットプリンタの主走査方向における一方の端部に配置された操作パネルを操作して行う。
【０００５】
操作パネルは、各種の設定を選択および決定するための操作ボタンと、設定の確認や警告などのメッセージが表示されるディスプレイなどにより構成される。
【０００６】
しかしながら、こうしたインクジェットプリンタにおける操作パネルは、インクジェットプリンタの一方の端部に固定されており、操作パネルから離れた場所でメンテナンスなどの作業を行う場合には、操作し難いという問題点があった。
【０００７】
また、ディスプレイは、画面が小さく、文字数の制約や画像が表示されないなどの点において問題点があった。
【０００８】
こうした問題点を解消するために、操作パネルの代わりにタブレット型端末を用いることがあった。
【０００９】
しかしながら、インクジェットプリンタ上においてタブレット型端末を配置する場所がなく、タブレット型端末を持ちながら操作する必要が生じる点や、タブレット型端末の電力を消耗すると充電が必要となるという点において、新たな問題点を招来するものであった。
【００１０】
なお、本願出願人が特許出願時に知っている先行技術は、上記において説明したようなものであって文献公知発明に係る発明ではないため、記載すべき先行技術情報はない。
【発明の概要】
【発明が解決しようとする課題】
【００１１】
本発明は、従来の技術の有する上記したような種々の問題点に鑑みてなされたものであり、その目的とするところは、タブレット型端末の電力の消耗を心配することなく、タブレット型端末を操作しやすい位置に容易に配置することが可能なインクジェットプリンタを提供するものである。
【課題を解決するための手段】
【００１２】
上記目的を達成するために、本発明によるインクジェットプリンタは、インクジェットプリンタ上に溝部を配設し、かつ、インクジェットプリンタからタブレット型端末に電力を供給可能であるように構成したものである。
【００１３】
即ち、本発明は、主走査方向に沿って配設されるガイドレール上を摺動可能に配置されるインクヘッドより、媒体上にインクを吐出して印刷を行うインクジェットプリンタにおいて、上記インクジェットプリンタの上面に、主走査方向に沿って所定の幅および所定の深さを備えて切り欠かれた溝部を有するようにしたものである。
【００１４】
また、本発明は、上記した発明において、上記インクジェットプリンタは、上記溝部に配置されたタブレット型端末をケーブルを介して接続可能なＵＳＢポートを有するようにしたものである。
【００１５】
また、本発明は、上記した発明において、上記溝部は、主走査方向に直交する方向である副走査方向において上記インクジェットプリンタの後方側へ傾斜しているようにしたものである。
【発明の効果】
【００１６】
本発明は、以上説明したように構成されているので、タブレット型端末の電力の消耗を心配することなく、タブレット型端末を操作しやすい位置に容易に配置することができるという優れた効果を奏する。
【図面の簡単な説明】
【００１７】
【図１】図１は、本発明によるインクジェットプリンタの実施の形態の一例を示した概略構成斜視説明図である。
【図２】図２は、図１に示すＩＩ−ＩＩ線によるインクジェットプリンタの断面形状を示した概略構成一部断面説明図である。
【発明を実施するための形態】
【００１８】
以下、添付の図面を参照しながら、本発明によるインクジェットプリンタの実施の形態の一例について詳細に説明する。
【００１９】
図１は、本発明によるインクジェットプリンタの実施の形態の一例の概略構成説明図を示しており、インクジェットプリンタ１０は、基台部材１２に支持され、主走査方向に延長して配設された固定系のベース部材１４を備えている。
【００２０】
ベース部材１４の左右両端には、側方部材１６Ｌおよび側方部材１６Ｒが設けられている。
【００２１】
また、ベース部材１４の上部には、側方部材１６Ｌと側方部材１６Ｒとを連結する中央壁１８を備え、中央壁１８の壁面には、主走査方向に沿ってガイドレール２０が配設され、ガイドレール２０にはインクヘッド２２を有するキャリッジ２４が摺動可能に配設されている。
【００２２】
インクジェットプリンタ１０の上面には、側方部材１６Ｌと側方部材１６Ｒとを連結するようにしてカバー部材１１が配設されており、カバー部材１１の中央の領域には主走査方向に沿って切り欠かれた溝部２６が設けられている。
【００２３】
溝部２６は、そのいずれの領域においてもタブレット型端末２８を差し込んで配置することが可能であるように、所定の間隙および深さを有し、かつ、副走査方向における後方側へ傾斜するように切り欠かれている。
【００２４】
即ち、ユーザーは、溝部２６にタブレット型端末２８を配置することにより、インクジェットプリンタ１０について操作が必要な位置の近傍などのユーザー自身が操作がしやすく、かつ、見やすい位置にタブレット型端末２８を配置することが可能となる。
【００２５】
なお、溝部２６が有する上記所定の間隙および深さは、タブレット型端末を配置可能であればよいものであり、適宜に設定すればよい。
【００２６】
また、溝部２６に配置されるタブレット型端末２８は、ケーブル２８ａを接続するコネクタ２８ｂを有する。
【００２７】
そして、タブレット型端末２８は、ケーブル２８ａを介してインクジェットプリンタ１０の背面側に配設される後述するＵＳＢポート３０においてインクジェットプリンタ１０と接続される。
【００２８】
側方部材１６Ｒの副走査方向における前方側の面には、操作パネル３２が配設されており、操作パネル３２は、ディスプレイ３２ａと複数の操作ボタン３２ｂとを備えて構成される。
【００２９】
また、側方部材１６Ｌには、液体状のインクを貯留するインクタンク３４が配置されている。
【００３０】
上記インクジェットプリンタ１０において、図示しない記録紙に対してインクヘッド２４よりインクを吐出させて記録紙上に印刷が行われる。
【００３１】
次に、図２を参照しながら、溝部２６について詳細に説明する。
【００３２】
図２は、図１に示すＩＩ−ＩＩ線によるインクジェットプリンタ１０の断面形状を示した概略構成一部断面説明図を示している。
【００３３】
インクジェットプリンタ１０に配設された溝部２６は、図２に示すように、副走査方向における後方側へ傾斜しており、溝部２６に差し込まれたタブレット型端末２８も溝部２６の傾斜に沿って傾きを有するように配置することが可能である。
【００３４】
また、インクジェットプリンタ１０の背面側には、タブレット型端末２８へ電力を供給するためのＵＳＢポート３０が配設されている。
【００３５】
ＵＳＢポート３０は、インクジェットプリンタ１０内部において、基板３６に設置される。
【００３６】
そして、ケーブル２８ａの一方の端部をタブレット型端末２８ａのコネクタ２８ｂに接続し、もう一方の端部であるＵＳＢコネクタ２８ｃをＵＳＢポート３０へ接続する。
【００３７】
これにより、ケーブル２８ａを介して、インクジェットプリンタ１０からタブレット型端末２８に電力が供給される。
【００３８】
なお、インクジェットプリンタ１０のＵＳＢポート３０とタブレット型端末２８とを接続するケーブル２８ａは、タブレット型端末２８が溝部２６上において、ＵＳＢポート３０から最も離れた場所に配置された場合に、タブレット型端末２８とＵＳＢポート３０との接続を保持することが可能な長さを有するようにする。
【００３９】
また、インクジェットプリンタ１０とタブレット型端末２８とは、無線ＬＡＮにより通信可能な構成を備えている。
【００４０】
そして、タブレット型端末２８内に、インクジェットプリンタ１０を操作するためのドライバやアプリケーションなどを内蔵させることにより、タブレット型端末２８よりインクジェットプリンタ１０の設定などに関する操作を行うことが可能である。
【００４１】
なお、インクジェットプリンタ１０とタブレット型端末２８とを無線ＬＡＮにより通信可能とし、タブレット型端末２８を用いてインクジェットプリンタ１０の設定等の操作を行う際の制御については従来より公知の技術であるため、その説明は省略する。
【００４２】
即ち、インクジェットプリンタ１０によれば、インクジェットプリンタ１０の設定などを行う際に、操作パネル３２において操作を行う代わりに、溝部２６上の所望の場所に配置したタブレット型端末２８を操作することにより行うことが可能となる。
【００４３】
以上において説明したように、本発明によるインクジェットプリンタ１０においては、インクジェットプリンタ１０の上面において、主走査方向に沿って切り欠かれた溝部２６を有するようにした。
【００４４】
これにより、溝部２６のいずれの領域においてもタブレット型端末２８を差し込むことが可能となり、インクジェットプリンタ１０上においてユーザー自身が操作がしやすく、かつ、見やすい位置に容易にタブレット型端末２８を配置することが可能である。
【００４５】
本発明によるインクジェットプリンタにおいては、タブレット型端末の電力の消耗を心配することなく、タブレット型端末を操作しやすい位置に容易に配置することができる
【００４６】
なお、上記した実施の形態は、以下の（１）乃至（５）に示すように変形することができる。
【００４７】
（１）上記した実施の形態においては、溝部を副走査方向における後方側へ傾斜させるようにしたが、これに限られるものではないことは勿論であり、タブレット型端末の画面を見やすいように構成すれば、傾斜させなくてもよい。
【００４８】
また、溝部を傾斜させる場合において、傾斜させる際の溝部の傾斜角度は任意に設定するようにしてよい。
【００４９】
（２）上記した実施の形態においては、インクジェットプリンタからタブレット型端末へ電力の供給が可能であるように、インクジェットプリンタがＵＳＢポートを有するようにしたが、これに限られるものではないことは勿論であり、電力を供給することが可能であれば、他の端子等を備えるようにしてもよい。
【００５０】
（３）上記した実施の形態においては、インクジェットプリンタの上面は平面であるものとしたが、これに限られるものではないことは勿論であり、タブレット型端末の背面となるインクジェットプリンタ上の溝部より後方側の領域が溝部に沿って高くなるようにし、溝部にタブレット型端末を配置した際にタブレット型端末を立てかけて配置可能であるようにしてもよい。
【００５１】
（４）上記した実施の形態においては、インクジェットプリンタとタブレット型端末との通信は無線ＬＡＮにより行うようにしたが、これに限られるものではないことは勿論であり、両者間の通信を有線により行うようにしてもよい。
【００５２】
即ち、ＵＳＢポートおよびケーブルなどを利用して通信を行うようにしてもよい。
【００５３】
（５）上記した実施の形態ならびに上記した（１）乃至（４）に示す変形例は、適宜に組み合わせるようにしてもよい。
【産業上の利用可能性】
【００５４】
本発明は、二値偏向方式あるいは連続偏向方式などの各種の連続方式や、サーマル方式あるいは圧電素子方式などの各種のオンデマンド方式を含む、各種のインクジェット方式を用いたインクジェットプリンタに対して利用することができるものである。
【符号の説明】
【００５５】
１０  インクジェットプリンタ、１１  カバー部材、１２  基台、１４  ベース部材、１６Ｒ、１６Ｌ  側方部材、１８  中央壁、２０  ガイドレール、２２  インクヘッド、２４  キャリッジ、２６  溝部、２８  タブレット型端末、２８ａ  ケーブル、２８ｂ  コネクタ、２８ｃ  ＵＳＢコネクタ、３０  ＵＳＢポート、３２  操作パネル、３２ａ  ディスプレイ、３２ｂ  操作ボタン、３４  インクタンク、３６  基板
【図１】
2016221910.tif 000003
【図２】
2016221910.tif 000004